【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
請求を処理する方法であって、
課金サーバにより、ＭＳＩＳＤＮ及び金額を含む請求ＡＰＩコールを加盟店サーバから受信する段階と、
前記課金サーバにより、複数のキャリアサーバから選択キャリアサーバを判定する段階と、
前記請求ＡＰＩコールに応答して、前記課金サーバにより、消費者オプトインが要求されることを示す応答を前記加盟店サーバに返す段階と、
前記課金サーバにより、前記ＭＳＩＳＤＮで消費者電話に認可が要求されることを示すテキストメッセージを送信する段階であって、前記加盟店サーバへの応答及び前記テキストメッセージのうちの一つがＰＩＮコードまたはキーワードの形式のデータ要素を含む、段階と、
前記課金サーバにより、ＰＩＮコードまたはキーワードの形式のデータ要素を受信する段階と、
前記課金サーバにより、前記送信されたデータ要素に対して受信されたデータ要素の妥当性確認する段階と、
前記課金サーバにより、前記ＭＳＩＳＤＮ及び金額を含む請求要求を前記選択キャリアサーバに送信する段階であって、前記キャリアサーバへの前記請求要求は前記データ要素の妥当性確認成功の後にのみ送信される、段階と、
前記課金サーバにより、前記請求要求の承認又は失敗の指示を含む請求結果コールバック通知を前記加盟店サーバに返す段階と、を含む
ことを特徴とする方法。
【請求項２】
前記請求ＡＰＩコールは、前記課金サーバのＵＲＬで受信される
ことを特徴とする請求項１に記載の方法。
【請求項３】
前記請求ＡＰＩコールは、前記加盟店サーバによって送出されるｒｅｑｕｅｓｔ−ｉｄ（要求ＩＤ）を含み、前記請求結果は、前記ｒｅｑｕｅｓｔ−ｉｄ（要求ＩＤ）を含む
ことを特徴とする請求項１に記載の方法。
【請求項４】
前記請求ＡＰＩコールは、ｍｅｒｃｈａｎｔ−ｉｄ（課金サーバが割り当てる加盟店ＩＤ）、ｃｏｎｓｕｍｅｒ−ｉｐ−ａｄｄｒｅｓｓ（発信側消費者のＩＰアドレス）、ｓｅｒｖｉｃｅ−ｉｄ（加盟店サーバ提供のＩＤ）、ｃｏｕｎｔｒｙ（国名コード）、ｃｕｒｒｅｎｃｙ（通貨コード）、ｉｔｅｍ−ｄｅｓｃｒｉｐｔｉｏｎ（購入される商品の説明）、及びｒｅｑｕｅｓｔ−ｉｄ（加盟店サーバが割り当てる要求ＩＤ。固有であることが必要）を備える
ことを特徴とする請求項１に記載の方法。
【請求項５】
前記選択キャリアサーバは、キャリアの名前、ｍｃｃ（モバイル国別コード）及びｍｎｃ（モバイルネットワークコード）のうちの少なくとも１つを含む前記請求ＡＰＩコールから検出される
ことを特徴とする請求項１に記載の方法。
【請求項６】
前記請求結果コールバック通知は、ｃｈａｒｇｅ−ｉｄ（課金サーバが割り当てる請求ＩＤ）、ｒｅｓｕｌｔ−ｃｏｄｅ（この要求の前記結果）、ｒｅｓｕｌｔ−ｍｅｓｓａｇｅ（前記結果の説明）を含む
ことを特徴とする請求項１に記載の方法。
【請求項７】
前記請求結果コールバック通知は、前記加盟店サーバのＵＲＬに送出される
ことを特徴とする請求項１に記載の方法。
【請求項８】
前記請求要求は、ｒｅｑｕｅｓｔ−ｉｄ（要求ＩＤ）を含み、前記請求要求が失敗すると、前記方法は、
前記課金サーバが前記請求要求の失敗、ＭＳＩＳＤＮ、及び金額の同じ指示を返さないように、新規のｒｅｑｕｅｓｔ−ｉｄ（要求ＩＤ）を有する請求ＡＰＩコールを、前記課金サーバにより前記加盟店サーバから受信する段階と、
前記新規のｒｅｑｕｅｓｔ−ｉｄ（要求ＩＤ）を有する前記請求ＡＰＩコールで受信した前記ＭＳＩＳＤＮ及び金額を含む請求要求を、前記課金サーバにより前記選択キャリアサーバに送信する段階と、
前記新規のｒｅｑｕｅｓｔ−ｉｄ（要求ＩＤ）に基づいて前記請求要求の承認又は失敗の指示を含む請求結果コールバック通知を、前記課金サーバにより前記加盟店サーバに返す段階と、をさらに含む
ことを特徴とする請求項１に記載の方法。
【請求項９】
ＰＩＮコードを含む継続要求を前記加盟店サーバから前記課金サーバにおいて受信する段階を更に含み、前記妥当性確認は、前記課金サーバにより、前記継続要求で受信した前記ＰＩＮコードを、前記テキストメッセージで送信した前記ＰＩＮコードに対して妥当性確認を行って、前記継続要求の前記ＰＩＮコードの妥当性確認成功の後にのみ、前記キャリアサーバへの前記請求要求が送信されることを含む
ことを特徴とする請求項１に記載の方法。
【請求項１０】
前記テキストメッセージはキーワードの形式の応答が要求されることを示し、
キーワードを含むテキストメッセージを前記消費者携帯電話から前記課金サーバにおいて受信する段階を更に含み、前記妥当性確認は、前記テキストメッセージで受信した前記キーワードを、前記加盟店サーバへの前記応答の前記キーワードに対して妥当性確認を行って、前記テキストメッセージ内の前記キーワードの妥当性確認成功の後にのみ、前記キャリアサーバへの前記請求要求が送信されることを含む
ことを特徴とする請求項１に記載の方法。
【請求項１１】
前記課金サーバにより、前記加盟店サーバから返金コールを受信する段階と、
前記課金サーバにより、前記返金コールに応答して、前記選択キャリアサーバを判定する段階と、
前記加盟店サーバからの前記返金コールに応答して、前記課金サーバにより、金額を含む返金要求を前記選択キャリアに送信する段階と、
前記加盟店サーバからの前記返金コールに応答して、前記課金サーバにより、チャージバック通知を前記加盟店サーバに送信する段階と、をさらに含む
ことを特徴とする請求項１に記載の方法。
【請求項１２】
前記請求結果コールバック通知は、ｃｈａｒｇｅ−ｉｄ（請求ＩＤ）を有し、前記返金コールは、前記請求結果コールバック通知の前記ｃｈａｒｇｅ−ｉｄ（請求ＩＤ）を有する
ことを特徴とする請求項１１に記載の方法。
【請求項１３】
前記課金サーバにより、前記返金コールに有効な理由コードが含まれているか否かを判定する段階をさらに含み、前記返金要求が送信されるのは、前記返金コールに有効な理由コードが含まれている場合だけである
ことを特徴とする請求項１１に記載の方法。
【請求項１４】
前記返金コールは、ｍｅｒｃｈａｎｔ−ｉｄ（課金サーバが割り当てる加盟店ＩＤ）、ｃｈａｒｇｅ−ｉｄ（返金するための前記支払いの請求ＩＤ）、ｒｅａｓｏｎ−ｃｏｄｅ（課金サーバの理由コード）、及びｒｅｑｕｅｓｔ−ｉｄ（加盟店サーバが割り当てる要求ＩＤ。固有であることが必要）を含む
ことを特徴とする請求項１１に記載の方法。
【請求項１５】
前記チャージバック通知は、ｒｅｆｕｎｄ−ｉｄ（課金サーバが作成する返金取引のＩＤ）、ｒｅｓｕｌｔ−ｃｏｄｅ（この要求の前記結果）、及びｒｅｓｕｌｔ−ｍｅｓｓａｇｅ（前記結果の説明）を含む
ことを特徴とする請求項１１に記載の方法。
【請求項１６】
コンピュータのプロセッサによって実行される場合に請求を処理する方法を実行する命令セットをその上に格納させた、非一時的コンピュータ可読媒体であって、本方法は、
課金サーバにより、ＭＳＩＳＤＮ及び金額を含む請求ＡＰＩコールを加盟店サーバから受信する段階と、
前記課金サーバにより、複数のキャリアサーバから選択キャリアサーバを判定する段階と、
前記請求ＡＰＩコールに応答して、前記課金サーバにより、消費者オプトインが要求されることを示す応答を前記加盟店サーバに返す段階と、
前記課金サーバにより、前記ＭＳＩＳＤＮで消費者電話に認可が要求されることを示すテキストメッセージを送信する段階であって、前記加盟店サーバへの応答及び前記テキストメッセージのうちの一つがＰＩＮコードまたはキーワードの形式のデータ要素を含む、段階と、
前記課金サーバにより、ＰＩＮコードまたはキーワードの形式のデータ要素を受信する段階と、
前記課金サーバにより、前記送信されたデータ要素に対して受信されたデータ要素の妥当性確認する段階と、
前記課金サーバにより、前記ＭＳＩＳＤＮ及び金額を含む請求要求を前記選択キャリアサーバに送信する段階であって、前記キャリアサーバへの前記請求要求は前記データ要素の妥当性確認成功の後にのみ送信される、段階と、
前記課金サーバにより、前記請求要求の承認又は失敗の指示を含む請求結果コールバック通知を前記加盟店サーバに返す段階と、を含む
ことを特徴とする非一時的コンピュータ可読媒体。
【請求項１７】
課金コンピュータシステムであって、
プロセッサと、
前記プロセッサに接続されたコンピュータ可読媒体と、
前記コンピュータ可読媒体上の命令セットと、を含み、
ＭＳＩＳＤＮ及び金額を含む請求ＡＰＩコールを加盟店サーバから受信し、複数のキャリアサーバから選択キャリアサーバを判定し、前記請求ＡＰＩコールに応答して、消費者オプトインが要求されることを示す応答を前記加盟店サーバに返し、前記ＭＳＩＳＤＮで消費者電話に認可が要求されることを示すテキストメッセージを送信し、前記加盟店サーバへの応答及び前記テキストメッセージのうちの一つがＰＩＮコードまたはキーワードの形式のデータ要素を含み、ＰＩＮコードまたはキーワードの形式のデータ要素を受信し、前記送信されたデータ要素に対して受信されたデータ要素の妥当性確認し、前記データ要素の妥当性確認成功の後にのみ前記ＭＳＩＳＤＮ及び金額を含む請求要求を前記選択キャリアサーバに送信し、前記請求要求の承認又は失敗の指示を含む請求結果コールバック通知を前記加盟店サーバに返すために、前記プロセッサにより実行可能なキャリア課金モジュールを含む
ことを特徴とする課金コンピュータシステム。
【請求項１８】
前記命令セットが、
消費者オプトインを格納するオプトイン管理モジュールと、
前記オプトイン管理モジュールに接続されたＳＭＳメッセージングモジュールと、
をさらに含み、
前記キャリア課金モジュールは、前記請求ＡＰＩコールに応答して、ＰＩＮコードの形式の消費者オプトインが要求されることを示す応答を前記加盟店サーバに返し、前記ＳＭＳメッセージングモジュールは、前記ＭＳＩＳＤＮの消費者携帯電話にテキストメッセージを送信し、前記キャリア課金モジュールは、ＰＩＮコードを含む継続要求を前記加盟店サーバから受信し、前記継続要求で受信した前記ＰＩＮコードを、前記テキストメッセージで送信した前記ＰＩＮコードに対して妥当性確認を行って、前記継続要求の前記ＰＩＮコードの妥当性確認成功の後にのみ、前記キャリアサーバへの前記請求要求が送信されることを特徴とする請求項１７に記載の課金コンピュータシステム。
【請求項１９】
前記命令セットが、
オプトイン管理モジュールと、
前記オプトイン管理モジュールに接続されたＳＭＳメッセージングモジュールと、
をさらに含み、
前記キャリア課金モジュールは、前記請求ＡＰＩコールに応答して、キーワードの形式の消費者オプトインが要求されることを指示すると共に前記キーワードを含む応答を、前記加盟店サーバに返し、前記ＳＭＳメッセージングモジュールは、キーワードの形式の応答が要求されることを示すテキストメッセージを前記ＭＳＩＳＤＮの消費者電話に送信し、前記テキストメッセージを含むメッセージを前記消費者携帯電話から受信し、前記キャリア課金モジュールは、前記テキストメッセージで受信した前記キーワードを、前記加盟店サーバへの前記応答の前記キーワードに対して妥当性確認を行って前記テキストメッセージ内の前記キーワードの妥当性確認成功の後にのみ、前記キャリアサーバへの前記請求要求が送信される
ことを特徴とする請求項１７に記載の課金コンピュータシステム。
【請求項２０】
前記加盟店サーバから返金コールを受信して、前記返金コールに応答して、前記選択キャリアサーバを判定して、前記加盟店サーバからの前記返金コールに応答して、金額を含む返金要求を前記選択キャリアに送信して、前記加盟店サーバからの前記返金コールに応答して、チャージバック通知を前記加盟店サーバに送信するキャリア返金モジュールをさらに含む
ことを特徴とする請求項１７に記載の課金コンピュータシステム。